(57)【要約】【課題】受信信号レベルが小さくなってしまった時でも、不正なパスを検出しないように適切なサーチ範囲とパス判定レベルを設定するＣＤＭＡ受信装置及びパス検出方法を提供する。【解決手段】受信信号１０と拡散符号との相関値を求める相関演算手段１１と、相関値の極大値をパスのサーチ範囲内に対して求めるパス探索手段１２と、極大値が所定の閾値を越えるか否かを判断するレベル判定手段１３と、レベル判定の結果に応じて状態を遷移する状態遷移処理手段１６と、遷移した状態に基づいてパスのサーチ範囲を設定するサーチ範囲設定手段１４と、遷移した状態に基づいて所定の閾値を設定する判定条件設定手段１５と、遷移した状態において求めたパスに基づいて受信信号に対して復号処理を実行する復号手段１７と、を備える。【選択図】図１
2004320587.tif 000002
【特許請求の範囲】
【請求項１】
アイドル状態、後方保護状態、アクティブ状態、前方保護状態の各状態を遷移する制御に基づいてサーチ範囲内からパスを探索するパス検出方法であって、
前記パスを探索する条件が探索されたパスに基づいて変化することを特徴とするパス検出方法。
【請求項２】
アイドル状態、後方保護状態、アクティブ状態、前方保護状態の各状態を遷移する制御に基づいてサーチ範囲内からパスを探索するパス検出方法であって、
前記アイドル状態、前記後方保護状態の各状態の少なくとも一つにおけるパスを探索する条件が探索されたパスに基づいて変化することを特徴とするパス検出方法。
【請求項３】
受信信号と拡散符号との相関値を少なくともサーチ範囲内に対して求めるステップと、
前記相関値の極大値を探索するステップと、
前記極大値が所定のパスの判定レベルを越えるか否か、および前記極大値が前回のパスのタイミングに位置するか否かを判断するステップと、
前記判断結果に応じて状態の遷移を制御してパスを検出するステップと、
前記遷移した状態および前記検出されたパスに基づいてパスを探索する条件を設定するステップと、を備えることを特徴とするパス検出方法。
【請求項４】
前記条件は、前記サーチ範囲または前記サーチ範囲内でのパスの判定レベルの少なくとも一方を含むことを特徴とする請求項１〜３のいずれか一記載のパス検出方法。
【請求項５】
アイドル状態、後方保護状態、アクティブ状態、前方保護状態の各状態を遷移する制御に基づいてサーチ範囲内からパスを探索するパス検出方法であって、
前記各状態の少なくとも一つの状態におけるサーチ範囲内でのパスの判定レベルが他の状態におけるサーチ範囲内でのパスの判定レベルと異なることを特徴とするパス検出方法。
【請求項６】
前記判定レベルの一つは、前記サーチ範囲内における前記相関値の最大値に第１の係数を乗じたピークレベル閾値、または前記サーチ範囲内における前記相関値の総和から所定のパスを除いて求めた平均値に第２の係数を乗じたノイズレベル閾値のいずれか大きい値であることを特徴とする請求項３〜５のいずれか一記載のパス検出方法。
【請求項７】
アイドル状態、後方保護状態、アクティブ状態、前方保護状態の各状態を遷移する制御に基づいてサーチ範囲内からパスを探索するパス検出方法であって、
前記アクティブ状態または前記前方保護状態にあるパスの中のレベルの最大値が、前記サーチ範囲内における前記相関値の総和から所定のパスを除いて求めた平均値にある係数を乗じた値以下であれば、前記後方保護状態のパスの判定レベルを前記平均値に他のある係数を乗じた値とすることを特徴とするパス検出方法。
【請求項８】
前記後方保護状態のパスの判定レベルよりもレベルの高いタイミングがない場合には、アクティブ状態または前方保護状態にあるパスからサーチ範囲を設定し、前記後方保護状態のパスの判定レベルよりもレベルの高いタイミングがある場合には、アクティブ状態または前方保護状態にあるパス、および前記後方保護状態にあって前記後方保護状態のパスの判定レベル以上のレベルになるパスからサーチ範囲を設定することを特徴とする請求項７記載のパス検出方法。
【請求項９】
アイドル状態、後方保護状態、アクティブ状態、前方保護状態の各状態を遷移する制御に基づいてサーチ範囲内からパスを探索するパス検出方法であって、
前記アクティブ状態または前記前方保護状態にあるパスの中のレベルの最大値が、前記サーチ範囲内における前記相関値の総和から所定のパスを除いて求めた平均値にある係数を乗じた値より大きい場合は、全てのパスからサーチ範囲を設定することを特徴とするパス検出方法。
【請求項１０】
前記サーチ範囲は、検出されたパスを全て含む範囲であることを特徴とする請求項１〜９のいずれか一記載のパス検出方法。
【請求項１１】
前記サーチ範囲の大きさには所定の下限値を設けることを特徴とする請求項１〜９のいずれか一記載のパス検出方法。
【請求項１２】
前記サーチ範囲は、定期的に所定の値に設定されることを特徴とする請求項１〜９のいずれか一記載のパス検出方法。
【請求項１３】
受信信号と拡散符号との相関値を求める相関演算手段と、
サーチ範囲内に対して前記相関値の極大値と前記極大値となる位置を求めるパス探索手段と、
前記極大値が所定の閾値を越えるか否かを判断するレベル判定手段と、
前記レベル判定の結果および前記極大値が前回のパスのタイミングに位置するか否かの判断結果に応じて状態の遷移を制御してパスを検出する状態遷移処理手段と、
前記遷移した状態および前記検出されたパスに基づいて次回のサーチ範囲を設定するサーチ範囲設定手段と、
前記遷移した状態および前記検出されたパスに基づいて前記所定の閾値を設定する判定条件設定手段と、
前記遷移した状態において求めたパスに基づいて前記受信信号に対して復号処理を実行する復号手段と、を備えることを特徴とするＣＤＭＡ受信装置。
【請求項１４】
請求項１〜１２のいずれか一記載のパス検出方法による受信部を備えることを特徴とするＣＤＭＡ受信装置。
【発明の詳細な説明】
【０００１】
【発明の属する技術分野】
本発明は、ＣＤＭＡ（Ｃｏｄｅ  Ｄｉｖｉｓｉｏｎ  Ｍｕｌｔｉｐｌｅ  Ａｃｃｅｓｓ）移動通信システムの受信装置におけるパス検出方法およびこのパス検出方法を用いたＣＤＭＡ受信装置に関する。
【０００２】
【従来の技術】
ＣＤＭＡ移動通信システムの受信装置における受信信号は、拡散符号により拡散されているので、復調するには、受信信号に同じ拡散符号を乗算し、逆拡散する必要がある。サーチ範囲内で受信信号を少しずつ遅延させながら拡散符号との相関値を各時点に対して求め、その中で相関値のレベルが極大となるタイミングを検出（パス検出）し、この検出されたパスに基づいて受信時の同期タイミングを求めることとなる。この様子を図で説明する。
【０００３】
図５は、サーチ範囲内で受信信号のパスを検出する方法を説明する図である。
図５（ａ）に示すように、受信信号を最大サーチ範囲内の所定のサーチ範囲で少しずつ遅延させ、拡散符号との相関値を各遅延時間毎に求める。図５（ｂ）は、求めた相関値（エネルギー）を各遅延時間（遅延値）に対応させて表示した例であって、遅延値対エネルギーの曲線を遅延プロファイルと呼ぶ。
【０００４】
ところで、一般に、受信信号は、ユーザの移動、フェージングやシャドウウィングなどの電波伝搬環境の変化の影響を受け、また雑音に埋もれることもあって、遅延プロファイルは、激しく変動する。そこで所定の閾値を設け、この閾値を越えて極大となる位置をパスとする。しかしながら、受信信号の変動により適正なパスが検出されるとは限らない。そこで最大ピークレベル値とノイズレベル値のそれぞれに対してピークレベル閾値とノイズレベル閾値を設け、ピークレベル値とノイズレベル値の差に応じてピークレベル閾値とノイズレベル閾値を変化させて有効なパスを検出する方法が知られている（特許文献１参照）。
【０００５】
さらに、一度検出されたパスには、検出された回数によって保護をつける。すなわち、所定の回数連続して所定のパスが検出された時に、初めてパスが適正であって、受信信号の同期を取りうるアクティブ状態であるとする。また、アクティブ状態にあって所定の回数連続してパスが検出されなかった時に、アイドル状態とする。
【０００６】
図６は、パスの保護における状態遷移を表す図である。図６において、状態として、アイドル状態（同期外れ状態）、Ｎ段の後方保護状態、アクティブ状態（同期状態）、Ｍ段の前方保護状態が存在する。始めにアイドル状態からスタートする。
【０００７】
アイドル状態で、パスが検出されなかった場合には、アイドル状態に留まり、パスが検出された場合には、後方保護状態１に遷移する。後方保護状態Ｊ（Ｊ＝１〜Ｎ）において、パスが検出されなかった場合には、アイドル状態に戻り、パスが検出された場合には、後方保護状態Ｊ＋１に遷移する。ただし、Ｎ＋１回連続してパスが検出された場合、すなわちＪ＝Ｎでパスが検出された場合には、アクティブ状態に遷移し、パスは適正なパスであって、これに基づき受信信号の同期を獲得する。
【０００８】
アクティブ状態で、パスが検出された場合には、アクティブ状態に留まり、パスが検出されなかった場合には、前方保護状態１に遷移する。前方保護状態Ｋ（Ｋ＝１〜Ｍ）において、パスが検出された場合には、アクティブ状態に戻り、パスが検出されなかった場合には、前方保護状態Ｋ＋１に遷移する。ただし、Ｍ＋１回連続してパスが検出されなかった場合、すなわちＫ＝Ｍでパスが検出されなかった場合には、アイドル状態に遷移し、適正なパスが検出されないこととなる。
【０００９】
以上説明したように、パスの検出において保護状態を備えることで、適正なパスを検出できるようになる。状態遷移に基づくパス検出の方法は、例えば、特許文献１および特許文献２に記載されている。
【００１０】
【特許文献１】
特開２００２−２６７６７号公報（第１表、第３、７、８、９図）
【特許文献２】
特開２００２−３１４４６０号公報（第７、１９図）
【００１１】
【発明が解決しようとする課題】
しかしながら、受信信号レベルがフェージングなどにより著しく小さくなり、パスのレベルがノイズレベルくらいにまで落ち込んでしまうことがある。従来のパス検出方法では、このような場合には閾値も小さくなって、ノイズから不正なパスを検出してしまうために、同期が取れなくなってしまう虞がある。図７は、受信信号レベルが小さくなって適正なパスを検出できない様子を示す図である。
すなわち、図７に示すように、受信信号レベルが小さくなり、元来正しいパスのレベルが不正なパスのレベルより小さくなった場合等には、適正なパスを検出できず、不正なパスを検出してしまうこととなる。
【００１２】
したがって、本発明の課題は、受信信号レベルが小さくなってしまった時でも、不正なパスを検出しないように適切なサーチ範囲とパス判定レベルを設定して安定に動作するパスの検出方法およびこの方法を用いるＣＤＭＡ受信装置を提供することにある。
【００１３】
【課題を解決するための手段】
前記目的を達成するために、本発明に係るパス検出方法は、第１の視点によれば、アイドル状態、後方保護状態、アクティブ状態、前方保護状態の各状態を遷移する制御に基づいてサーチ範囲内からパスを探索するパス検出方法であって、パスを探索する条件が探索されたパスに基づいて変化する方法とされる。
【００１４】
また、本発明に係るパス検出方法は、第２の視点によれば、アイドル状態、後方保護状態、アクティブ状態、前方保護状態の各状態を遷移する制御に基づいてサーチ範囲内からパスを探索するパス検出方法であって、アイドル状態、後方保護状態の各状態の少なくとも一つにおけるパスを探索する条件が探索されたパスに基づいて変化する方法とされる。
【００１５】
さらに、本発明に係るパス検出方法は、第３の視点によれば、受信信号と拡散符号との相関値を少なくともサーチ範囲内に対して求めるステップと、相関値の極大値を探索するステップと、極大値が所定のパスの判定レベルを越えるか否か、および極大値が前回のパスのタイミングに位置するか否かを判断するステップと、判断結果に応じて状態の遷移を制御してパスを検出するステップと、遷移した状態および検出されたパスに基づいて次回のパスを探索する条件を設定するステップと、を備える方法とされる。
【００１６】
本発明において、好ましくは、条件は、サーチ範囲またはサーチ範囲内でのパスの判定レベルの少なくとも一方を含んでもよい。
【００１７】
また、本発明に係るパス検出方法は、第４の視点によれば、アイドル状態、後方保護状態、アクティブ状態、前方保護状態の各状態を遷移する制御に基づいてサーチ範囲内からパスを探索するパス検出方法であって、各状態の少なくとも一つの状態におけるサーチ範囲内でのパスの判定レベルが他の状態におけるサーチ範囲内でのパスの判定レベルと異なる方法とされる。
【００１８】
本発明において、好ましくは、判定レベルの一つは、サーチ範囲内における相関値の最大値に第１の係数を乗じたピークレベル閾値、またはサーチ範囲内における相関値の総和から所定のパスを除いて求めた平均値に第２の係数を乗じたノイズレベル閾値のいずれか大きい値であってもよい。
【００１９】
また、本発明に係るパス検出方法は、第５の視点によれば、アイドル状態、後方保護状態、アクティブ状態、前方保護状態の各状態を遷移する制御に基づいてサーチ範囲内からパスを探索するパス検出方法であって、アクティブ状態または前方保護状態にあるパスの中のレベルの最大値が、サーチ範囲内における相関値の総和から所定のパスを除いて求めた平均値にある係数を乗じた値以下であれば、後方保護状態のパスの判定レベルを平均値に他のある係数を乗じた値とされる。
【００２０】
本発明において、好ましくは、後方保護状態のパスの判定レベルよりもレベルの高いタイミングがない場合には、アクティブ状態または前方保護状態にあるパスからサーチ範囲を設定し、後方保護状態のパスの判定レベルよりもレベルの高いタイミングがある場合には、アクティブ状態または前方保護状態にあるパス、および後方保護状態にあって後方保護状態のパスの判定レベル以上のレベルになるパスからサーチ範囲を設定してもよい。
【００２１】
また、本発明に係るパス検出方法は、第６の視点によれば、アイドル状態、後方保護状態、アクティブ状態、前方保護状態の各状態を遷移する制御に基づいてサーチ範囲内からパスを探索するパス検出方法であって、アクティブ状態または前方保護状態にあるパスの中のレベルの最大値が、サーチ範囲内における相関値の総和から所定のパスを除いて求めた平均値にある係数を乗じた値より大きい場合は、全てのパスからサーチ範囲を設定する方法とされる。
【００２２】
本発明において、好ましくは、サーチ範囲は、検出されたパスを全て含む範囲であってもよい。
【００２３】
また、本発明において、好ましくは、サーチ範囲の大きさには所定の下限値を設けてもよい。
【００２４】
さらに、本発明において、好ましくは、サーチ範囲は、定期的に所定の値に設定されてもよい。
【００２５】
また、本発明に係るＣＤＭＡ受信装置は、第７の視点によれば、受信信号と拡散符号との相関値を求める相関演算手段と、サーチ範囲内に対して相関値の極大値と極大値となる位置を求めるパス探索手段と、極大値が所定の閾値を越えるか否かを判断するレベル判定手段と、レベル判定の結果および極大値が前回のパスのタイミングに位置するか否かの判断結果に応じて状態の遷移を制御してパスを検出する状態遷移処理手段と、遷移した状態および検出されたパスに基づいて次回のサーチ範囲を設定するサーチ範囲設定手段と、遷移した状態および検出されたパスに基づいて所定の閾値を設定する判定条件設定手段と、遷移した状態において求めたパスに基づいて受信信号に対して復号処理を実行する復号手段と、を備える構成とされる。
【００２６】
さらに、本発明において、好ましくは、本発明に係るＣＤＭＡ受信装置は、パス検出方法による受信部を備えてもよい。
【００２７】
【発明の実施の形態】
添付図面を参照して、本発明の実施の形態を以下に説明する。
【００２８】
図１は、本発明の実施の形態に係るＣＤＭＡ受信装置の受信部を示すブロック図である。図１において、受信信号１０は、復号手段１７に入力されると共に、相関演算手段１１に入力される。相関演算手段１１は、図５で示したように受信信号１０を所定のサーチ範囲で少しずつ遅延させ、拡散符号との相関値を各遅延時間毎に求める。
【００２９】
パス探索手段１２は、サーチ範囲設定手段１４で設定されるサーチ範囲内で、相関演算手段１１において求めた相関値の極大値となる点（パスあるいはパスの候補）を探索し、探索結果である極大値となる位置とその極大値の組を、レベル判定手段１３に出力する。また、相関演算手段１１において求めた相関値の中の最大値（最大ピークレベル値）、および相関値の中のから所定のピーク値を除いた平均値であるノイズレベル値を求めて、判定条件設定手段１５に出力する。
【００３０】
レベル判定手段１３は、予め判定条件設定手段１５により定められた各組ごとの閾値（判定レベル）に対してパス探索手段１２から入力される各組の極大値のレベルを判定する。各組のレベル判定結果は、状態遷移処理手段１６に出力される。状態遷移処理手段１６は、パスおよびパスの候補ごとに設けた状態に対し、各組のレベルの判定結果に従った状態の遷移制御を実行する。各組の状態遷移の結果に基づき適正なパスと判断されたパスは、復号手段１７に出力され、復号手段１７は、適正なパスに基づいて受信信号１０に対し同期を取り、復号処理を実行し、復号信号１８を出力する。
【００３１】
サーチ範囲設定手段１４は、状態遷移処理手段１６より出力される各組の状態遷移の結果に基づいてパスのサーチ範囲を設定し、パス探索手段１２に出力する。また、判定条件設定手段１５は、各組の状態遷移の結果、最大ピークレベル値、およびノイズレベル値に基づいて各組ごとに対応したレベル判定のための閾値（ピークレベル閾値、およびノイズレベル閾値）を設定し、レベル判定手段１３に出力する。
【００３２】
以上の説明のように、本発明の実施の形態に係るＣＤＭＡ受信装置は、状態遷移制御に基づきサーチ範囲とパス判定レベルを設定するように動作するので、受信信号レベルが小さくなってしまった時でも、不正なパスを検出せず安定に復号の動作を行うようになる。
【００３３】
【実施例】
上記した本発明の実施の形態についてさらに詳細に説明すべく、本発明の実施例について図面を参照して説明する。
【００３４】
図２は、本発明の実施例に係るパス検出方法におけるフローチャートであり、ＣＤＭＡ受信装置の受信部におけるパス検出方法の処理フローを示す。ステップＳ０でスタートすると、ステップＳ１では、初期設定を行う。例えば、検出するパスの数の最大値をＴとし、状態遷移制御のおける保護段数を後方保護Ｎ段分、前方保護Ｍ段分をＴ組用意する。また、状態遷移制御のおける初期状態をアイドル状態とする。なお、Ｎ、Ｍ、Ｔは、伝搬環境等のシステムの設計条件から定められる所定の値とする。さらに、初期のパスサーチ範囲を所定の最大のサーチ範囲とする。例えば、セル半径全体をサーチする範囲とする。
【００３５】
ステップＳ２では、遅延プロファイルを取得する。すなわち、受信信号１０を所定のサーチ範囲で少しずつ遅延させ、拡散符号との相関値を各遅延時間毎に対応して求める。
【００３６】
ステップＳ３では、取得した遅延プロファイルから極大となる位置（遅延時間相当）とその極大値を求める。
【００３７】
ステップＳ４では、前回パスであった位置をステップＳ５に渡す。また、前回パスであった位置が、今回、極大となる位置であるか否かについての情報も併せてステップＳ５に渡す。さらに、前回パスであった位置が無ければその旨の情報をステップＳ５に渡す。
【００３８】
ステップＳ５では、前回パスであった位置と、今回、見つかった極大値となる位置およびその極大値から、各パスについて状態遷移制御を行う。状態遷移制御の詳細については、後に詳細に説明する。
【００３９】
ステップＳ６では、全てのパスおよびステップＳ３で探索された極大値となる位置について探索が終了したか否かを判断し、終了していなければステップＳ３に戻り、終了していればステップＳ７に進む。
【００４０】
ステップＳ７では、アクティブ状態および前方保護状態にあるパスの位置情報を復号手段１７に通知する。ただし、アクティブ状態および前方保護状態にパスがなければ復号手段１７に通知しない。
【００４１】
ステップＳ８では、今回求めたパスから、次回にパスをサーチする範囲と閾値を設定する。この詳細については後に説明する。なお、パスのサーチ範囲が極端に狭くならないように、サーチ範囲の大きさに所定の下限値を設けてもよい。また、狭くなったサーチ範囲を定期的に所定の値、例えば、最大のサーチ範囲に設定し直すようにしてもよい。
【００４２】
ステップＳ９では、一連の処理が完了し、次の遅延プロファイルを取得するタイミングまで待ち状態に入り、所定の時間経過の後、ステップＳ２に進み、再び一連の処理が実行される。なお、フローの終了は、不図示の終了処理等により実行されるものとする。
【００４３】
次に、ステップＳ５における状態遷移制御について説明する。表１は、本発明の実施例に係るパス検出方法における状態遷移表である。
【００４４】
【表１】
2004320587.tif 000003
【００４５】
ただし、表１において、＊印は、保護段数Ｎ経過後はアクティブ状態へ遷移することを表し、＊＊印は、保護段数Ｍ経過後はアイドル状態へ遷移することを表す。また、＊＊＊印は、アクティブ状態および前方保護状態にあるパスのなかでレベルが最大となる値をＵ０とした際に、Ｕ０≦（ノイズレベル平均値×β）であれば、ＷとＳとの比較を優先することを表す。なお、βは、β＞１であり、伝搬環境などを考慮してシステムで任意に定められる定数である。
【００４６】
表１における各変数の定義は、次の通りである。
１）ノイズレベル平均値Ｐ＝サーチ範囲内のエネルギーからレベルの高い上位Ｔ個分のパスのレベルを除いた残りのエネルギーの平均値。ただし、パスの数がＴに満たない場合は、パス分を除き、さらに、レベルの高い順に（Ｔ−パスの数）個分除いた残りのエネルギーの平均値
２）ノイズレベル閾値Ｑ＝ＡＰ（ただしＡ＞１）
３）ピークレベル閾値Ｒ＝サーチ範囲内のエネルギーの最大値（Ｕ）／Ｂ（ただしＢ＞１）
４）後方保護閾値Ｓ＝αＰ（ただしα＞Ａ）
５）ＱとＲの内、大きいほうをＶ
６）サーチ範囲内で見つかった極大値またはパスに対応するレベルをＷ
とする。ここでＡ、Ｂ、αは、伝搬環境などを考慮してシステムで任意に定められる定数である。
【００４７】
今までパスでなかった位置にステップＳ３において極大値が見出された時には、状態は、アイドル状態からスタートする。極大値ＷがＶ以上か否かを判定し、ＷがＶ以上であれば、今までパスでなかった位置をパスになる候補とし、次回の探索における状態を後方保護状態として処理する。また、ＷがＶより小さければ何も処理をしない。すなわち次回の状態をアイドル状態とする。
【００４８】
また、前回後方保護状態にあるパスの位置にステップＳ３において極大値が見出された時には、状態は、後方保護状態からスタートする。極大値ＷがＶ以上か否かを判定し、ＷがＶ以上であれば、次回の探索における状態を１段進めた後方保護状態として処理する。ただし、保護段数がＮ段を超過したならば、次回の探索における状態をアクティブ状態として処理する。また、ＷがＶより小さい場合、あるいは前回後方保護状態にあるパスの位置にステップＳ３において極大値が見出されない場合には、次回の状態をアイドル状態とする。
【００４９】
さらに、前回アクティブ状態にあるパスの位置にステップＳ３において極大値が見出された時には、状態は、アクティブ状態からスタートする。極大値ＷがＶ以上か否かを判定し、ＷがＶ以上であれば、次回の探索における状態をアクティブ状態として処理する。また、ＷがＶより小さい場合、あるいは前回アクティブ状態にあるパスの位置にステップＳ３において極大値が見出されない場合には、次回の状態を前方保護状態とする。
【００５０】
また、前回前方保護状態にあるパスの位置にステップＳ３において極大値が見出された時には、状態は、前方保護状態からスタートする。極大値ＷがＶ以上か否かを判定し、ＷがＶ以上であれば、次回の探索における状態をアクティブ状態として処理する。また、ＷがＶより小さい場合、あるいは前回前方保護状態にあるパスの位置にステップＳ３において極大値が見出されない場合には、次回の状態を１段進めた前方保護状態とする。ただし、保護段数がＭ段を超過したならば、次回の探索における状態をアイドル状態として処理する。
【００５１】
なお、アイドル状態において極大値ＷがＶ以上である場合、または後方保護状態にパスがある場合には、前回の探索のステップＳ８の処理結果に基づいて、極大値をサーチする範囲と閾値を変更する。次に、ステップＳ８の詳細について説明する。
【００５２】
図３は、本発明の実施例に係るパス検出方法におけるサーチ範囲設定のフローチャートである。ステップＳ１０でスタートすると、ステップＳ１１では、アクティブ状態および前方保護状態にあるパスの中でレベルの最大値とノイズレベルの平均値Ｐ×βとを比較する。最大値がノイズレベルの平均値Ｐ×βより大きければステップＳ１２に進み、さもなければステップＳ１３に進む。
【００５３】
ステップＳ１２では、全てのパスからサーチ範囲を設定し、ステップＳ１６で処理を終了する。ここで全てのパスとは、閾値以上となった極大値に対応するパスを含み、後方保護状態、アクティブ状態、前方保護状態にあるパスの全てである。
【００５４】
ステップＳ１３では、後方保護状態にあるパスのレベルの値と後方保護閾値Ｓとを比較する。後方保護状態にあるパスのレベルの値が後方保護閾値Ｓより大きければステップＳ１４に進み、さもなければステップＳ１５に進む。
【００５５】
ステップＳ１４では、アクティブ状態にあるパス、前方保護状態にあるパス、および前方保護状態にあって後方保護閾値Ｓ以上のレベルのパスからサーチ範囲を設定し、ステップ１６で処理を終了する。
【００５６】
ステップＳ１５では、アクティブ状態にあるパス、および前方保護状態にあるパスからサーチ範囲を設定し、ステップ１６で処理を終了する。
【００５７】
以上説明したように、ノイズレベル閾値やピークレベル閾値よりも高い閾値を後方保護閾値Ｓとして設定する。一般に、不正となるパスは、後方保護状態におけるパスと考えられる。そこで表１の後方保護状態では、アクティブ状態および前方保護状態にあるパスのなかでレベルが最大となる値をＵ０とした際に、Ｕ０≦（ノイズレベル平均値×β）であれば、後方保護状態にあるパスの最大レベルと後方保護閾値Ｓとを比較する。比較の結果、後方保護状態にあるパスの最大レベルが後方保護閾値Ｓより大きければ、サーチ範囲を設定する際に後方保護状態にあるパスをサーチ範囲設定の対象に含める。また、後方保護状態にあるパスの最大レベルが後方保護閾値Ｓ以下であれば、サーチ範囲を設定する際に後方保護状態にあるパスをサーチ範囲設定の対象から外すように制御する。
【００５８】
また、表１のアイドル状態あるいは後方保護状態では、アクティブ状態および前方保護状態にあるパスのなかでレベルが最大となる値をＵ０とした際に、Ｕ０≦（ノイズレベル平均値×β）であれば、ＷとＳとの比較を優先するように説明したが、アイドル状態あるいは後方保護状態のいずれか一方または双方においてＷとＳとの比較を省き、ＷとＶとの比較だけを実行してもよい。
【００５９】
さらに、ＷとＳとの比較に必要となるアクティブ状態および前方保護状態にあるパスのレベルは、前回のステップＳ８の処理に基づき設定されるものとして説明したが、ステップＳ５の処理においてアクティブ状態および前方保護状態にあるパスのレベルを先に求め、求めた結果を後方保護状態およびアイドル状態におけるＷとＳとの比較に反映させるように制御してもよい。
【００６０】
以上説明したようなパス検出の様子を図に示す。図４は、本発明の実施例に係るパス検出方法において後方保護閾値を高く設定して不正なパスを検出しない様子を示す図である。すなわち、アクティブ状態および前方保護状態のパスのレベル最大値が、ノイズレベル平均値×β以下であれば、パスのレベルが低くなったとみなし、後方保護状態のパスの閾値を後方保護閾値Ｓとして高く設定する。後方保護状態のパスは、後方保護閾値よりレベルの高いものだけを検出する。したがって、図４に示すように、後方保護閾値よりレベルの低い不正なパスが検出されなくなる。一方、適正なパスは、レベルが低くなったとしても、アイドル状態に至らない限り前方保護状態にあってパスとして保護されることとなる。
【００６１】
さらに、後方保護閾値よりもレベルの高いタイミングがなければ、アクティブ状態および前方保護のパスからサーチ範囲を設定する。また、アクティブ状態および前方保護のパスのレベル最大値が、ノイズレベル平均値×βより大きい時は、後方保護閾値を設定することなく全パスからサーチ範囲を設定する。このように制御することで、不正なパスの検出による不適切なサーチ範囲の設定を防ぐことができるようになる。
【００６２】
【発明の効果】
以上説明したように、本発明のＣＤＭＡ受信装置及びパス検出方法は、受信信号レベルが小さくなってしまった時でも、不正なパスを検出しないように適切なサーチ範囲とパス判定レベルを設定する。したがって、受信信号レベルがフェージングなどにより著しく小さくなり、パスのレベルがノイズレベルくらいにまで落ち込んでしまうような場合であっても、適正なパスを検出して同期を取ることができ、安定に動作するようになる。
【図面の簡単な説明】
【図１】本発明の実施の形態に係るＣＤＭＡ受信装置の受信部を示すブロック図である。
【図２】本発明の実施例に係るパス検出方法におけるフローチャートである。
【図３】本発明の実施例に係るパス検出方法におけるサーチ範囲設定のフローチャートである。
【図４】本発明の実施例に係るパス検出方法において後方保護閾値を高く設定して不正なパスを検出しない様子を示す図である。
【図５】サーチ範囲内で受信信号のパスを検出する方法を説明する図である。
【図６】パスの保護における状態遷移を表す図である。
【図７】受信信号レベルが小さくなって適正なパスを検出できない様子を示す図である。
【符号の説明】
１０  受信信号
１１  相関演算手段
１２  パス探索手段
１３  レベル判定手段
１４  サーチ範囲設定手段
１５  判定条件設定手段
１６  状態遷移処理手段
１７  復号手段
１８  復号信号
【図１】
2004320587.tif 000004
【図２】
2004320587.tif 000005
【図３】
2004320587.tif 000006
【図４】
2004320587.tif 000007
【図５】
2004320587.tif 000008
【図６】
2004320587.tif 000009
【図７】
2004320587.tif 000010